(57)【要約】【課題】既存の屋根に対し容易に後付できると共に、色々な形状の金属屋根に対し容易に取り付けできる金属屋根用のソーラーパネル取付金具を提供すること。【解決手段】ソーラーパネル９若しくはソーラーパネル９を設置するためのソーラーパネル設置具10を固定可能なパネル固定部11の前部に、屋根板材２の垂下板部５に重合止着する前側止着部12を垂設し、この前側止着部12を垂下板部５に重合した際に、屋根板材２の下側敷設板部３に載置する後側載置部13をパネル固定部11の後部に設け、前側止着部12は、この前側止着部12の左右方向に間隔を置いた二箇所に前記接合具８を挿通可能な挿通孔14を設け、各挿通孔14に挿通した接合具８で前側止着部12を垂下板部５に止着する構成とし、挿通孔14は一箇所を長孔状に形成し、前側止着部12の下部両側を面取りする。【選択図】図２
2015040425.tif 000002
【特許請求の範囲】
【請求項１】
屋根勾配の下側に配する下側敷設板部と、屋根勾配の上側に配する上側敷設板部とから成り、前記下側敷設板部に、下方へ垂下する形状に折曲形成された垂下板部を有すると共に、この垂下板部が重合可能で且つ上方へ立上がる形状に折曲形成された立上がり板部を前記上側敷設板部に有する金属製屋根板材を、野地板の勾配下方側に敷設固定し、この敷設固定した屋根板材の前記上側敷設板部の上面に、この屋根板材より野地板の勾配上方側に敷設固定した他の屋根板材の前記下側敷設板部の下面を上方から重ねて前記垂下板部を前記立上がり板部に重合し、この重合した垂下板部と立上がり板部とを接合具で接合することで上下の屋根板材同士を接合していく金属屋根に用いるソーラーパネル取付金具であって、ソーラーパネル若しくはソーラーパネルを設置するためのソーラーパネル設置具を固定可能なパネル固定部の前部に、前記屋根板材の前記垂下板部に重合させて止着する前側止着部を垂設し、この前側止着部を前記垂下板部に重合した際に、前記下側敷設板部に上方から載置する後側載置部を、このパネル固定部の後部に設けた構成とし、前記前側止着部は、この前側止着部の左右方向に間隔を置いて前記接合具若しくは止着具を挿通可能な挿通孔を二箇所以上設けて、この各挿通孔に挿通した前記接合具若しくは止着具によりこの前側止着部を前記垂下板部に止着し得るように構成し、この二箇所以上の挿通孔の少なくとも一箇所を長孔状の挿通長孔に形成して、この挿通長孔を介して前記接合具若しくは止着具に対し前側止着部を傾動させて前記パネル固定部を傾動調整し得るように構成し、この前側止着部は、その左右下部を面取りして、この左右の面取り部で上面に凹凸のある前記屋根板材の凸部を避けながら前側止着部を前記垂下板部に止着し得るように構成したことを特徴とする金属屋根用のソーラーパネル取付金具。
【請求項２】
前記前側止着部は、前記挿通孔に挿通した前記接合具によりこの前側止着部を前記垂下板部に止着しつつ垂下板部と前記立上がり板部とを接合し得るように構成すると共に、この接合具はビスを採用して、前記挿通孔に挿通したこのビスを前記垂下板部と前記立上がり板部とに打ち込むことにより、この前側止着部を前記垂下板部に止着しつつ垂下板部と前記立上がり板部とを接合する構成としたことを特徴とする請求項１記載の金属屋根用のソーラーパネル取付金具。
【請求項３】
前記前側止着部に、この前側止着部の左右方向に間隔を置いた二箇所に前記挿通孔を設け、この二箇所の挿通孔のいずれか一方を上下方向に孔長を有する長孔状の挿通長孔に形成して、この挿通長孔を、この挿通長孔に挿通した前記接合具若しくは前記止着具に対し、他方の挿通孔に挿通した接合具若しくは止着具を支点にして移動させることで、前側止着部を傾動調整し得るように構成したことを特徴とする請求項１，２のいずれか１項に記載の金属屋根用のソーラーパネル取付金具。
【請求項４】
前記前側止着部は、その下縁を水平方向に長さを有するストレート縁に形成して、この水平ストレート縁部で上面が平坦な前記屋根板材のこの平坦上面を避けながら前側止着部を前記垂下板部に取り付けし得るように構成すると共に、この水平ストレート縁部の左右両端部に前記面取り部を設けたことを特徴とする請求項１〜３のいずれか１項に記載の金属屋根用のソーラーパネル取付金具。
【請求項５】
前記前側止着部の下部に、この前側止着部を前記接合具若しくは前記止着具で前記垂下板部に止着した際に前記屋根板材の上面に当接する若しくは当接可能な脚部を設けたことを特徴とする請求項１〜４のいずれか１項に記載の金属屋根用のソーラーパネル取付金具。
【請求項６】
前記後側載置部は、前記パネル固定部の後部から下方に突設して、この後側載置部を前記屋根板材の前記下側敷設板部に上方から載置した際に、この下側敷設板部の上方に前記パネル固定部が浮上状態で配設するように構成したことを特徴とする請求項１〜５のいずれか１項に記載の金属屋根用のソーラーパネル取付金具。
【請求項７】
前後方向に長さを有する金属板の前側を下方へ垂下する形状に折曲してこの前側垂下部を前記前側止着部とし、この金属板の後側を下方へ垂下する形状に折曲してこの後側垂下部を前記後側載置部とし、この後側載置部と前側止着部の間の金属板の中間板部に取付ボルトを立設状態に設けて、この取付ボルトを有する中間板部を前記パネル固定部としたことを特徴とする請求項１〜６のいずれか１項に記載の金属屋根用のソーラーパネル取付金具。
【発明の詳細な説明】
【技術分野】
【０００１】
本発明は、金属屋根用のソーラーパネル取付金具に関するものである。
【背景技術】
【０００２】
これまでのソーラーパネルの屋根上取付構造としては、例えば特許文献１に示すように、野地板の勾配下方側に敷設固定された屋根板材より傾斜上方側に存する野地板部位に金具支持スペーサを敷設固定し、この金具支持スペーサにソーラーパネル用固定金具の後側の屋根側取付部を釘打ち若しくはビス止めにより固定して、このソーラーパネル用固定金具の前端に設けたパネル固定部を野地板の勾配上方側に敷設固定される屋根板材の勾配下部側敷設部の下端より勾配下方側へ突出させ、この勾配下方側へ突出するパネル固定部に、ソーラーパネル若しくはソーラーパネルを取付するためのソーラーパネル取付具を固定する構造が実施されている。
【先行技術文献】
【特許文献】
【０００３】
【特許文献１】特開２００３−２３９４８２号公報
【発明の概要】
【発明が解決しようとする課題】
【０００４】
上記のようなこれまでのソーラーパネルの屋根上取付構造は、ソーラーパネル用固定金具の屋根側取付部を、金具支持スペーサを介して野地板に固定する構成であるため、例えば木造建築物の場合、新築物件であれば良いが、改築工事等で既存物件の屋根にこの取付構造を用いてソーラーパネル用固定金具を固定しようとすると、屋根板材を一旦取り外して野地板を露出させなければならないために非常に大掛かりな工事となり、長期間の工期を要すると共に、コストもかかるという問題があった。
【０００５】
本発明は、このような従来のソーラーパネルの屋根上取付構造の問題点に鑑み、これを解消しようとするためのもので、既存の屋根に対しても屋根板材を取り外すことなく容易に取り付けできると共に、色々な形状の金属屋根に対して容易に取り付けできる汎用性に優れた金属屋根用のソーラーパネル取付金具を提供するものである。
【課題を解決するための手段】
【０００６】
添付図面を参照して本発明の要旨を説明する。
【０００７】
屋根１勾配の下側に配する下側敷設板部３と、屋根１勾配の上側に配する上側敷設板部４とから成り、前記下側敷設板部３に、下方へ垂下する形状に折曲形成された垂下板部５を有すると共に、この垂下板部５が重合可能で且つ上方へ立上がる形状に折曲形成された立上がり板部６を前記上側敷設板部４に有する金属製屋根板材２を、野地板７の勾配下方側に敷設固定し、この敷設固定した屋根板材２の前記上側敷設板部４の上面に、この屋根板材２より野地板７の勾配上方側に敷設固定した他の屋根板材２の前記下側敷設板部３の下面を上方から重ねて前記垂下板部５を前記立上がり板部６に重合し、この重合した垂下板部５と立上がり板部６とを接合具８で接合することで上下の屋根板材２同士を接合していく金属屋根に用いるソーラーパネル取付金具Ａであって、ソーラーパネル９若しくはソーラーパネル９を設置するためのソーラーパネル設置具10を固定可能なパネル固定部11の前部に、前記屋根板材２の前記垂下板部５に重合させて止着する前側止着部12を垂設し、この前側止着部12を前記垂下板部５に重合した際に、前記下側敷設板部３に上方から載置する後側載置部13を、このパネル固定部11の後部に設けた構成とし、前記前側止着部12は、この前側止着部12の左右方向に間隔を置いて前記接合具８若しくは止着具を挿通可能な挿通孔14を二箇所以上設けて、この各挿通孔14に挿通した前記接合具８若しくは止着具によりこの前側止着部12を前記垂下板部５に止着し得るように構成し、この二箇所以上の挿通孔14の少なくとも一箇所を長孔状の挿通長孔14Ａに形成して、この挿通長孔14Ａを介して前記接合具８若しくは止着具に対し前側止着部12を傾動させて前記パネル固定部11を傾動調整し得るように構成し、この前側止着部12は、その左右下部を面取りして、この左右の面取り部15で上面に凹凸のある前記屋根板材２の凸部16を避けながら前側止着部12を前記垂下板部５に止着し得るように構成したことを特徴とする金属屋根用のソーラーパネル取付金具に係るものである。
【０００８】
また、前記前側止着部12は、前記挿通孔14に挿通した前記接合具８によりこの前側止着部12を前記垂下板部５に止着しつつ垂下板部５と前記立上がり板部６とを接合し得るように構成すると共に、この接合具８はビス８を採用して、前記挿通孔14に挿通したこのビス８を前記垂下板部５と前記立上がり板部６とに打ち込むことにより、この前側止着部12を前記垂下板部５に止着しつつ垂下板部５と前記立上がり板部６とを接合する構成としたことを特徴とする請求項１記載の金属屋根用のソーラーパネル取付金具に係るものである。
【０００９】
また、前記前側止着部12に、この前側止着部12の左右方向に間隔を置いた二箇所に前記挿通孔14を設け、この二箇所の挿通孔14のいずれか一方を上下方向に孔長を有する長孔状の挿通長孔14Ａに形成して、この挿通長孔14Ａを、この挿通長孔14Ａに挿通した前記接合具８若しくは前記止着具に対し、他方の挿通孔14に挿通した接合具８若しくは止着具を支点にして移動させることで、前側止着部12を傾動調整し得るように構成したことを特徴とする請求項１，２のいずれか１項に記載の金属屋根用のソーラーパネル取付金具に係るものである。
【００１０】
また、前記前側止着部12は、その下縁を水平方向に長さを有するストレート縁に形成して、この水平ストレート縁部17で上面が平坦な前記屋根板材２のこの平坦上面を避けながら前側止着部12を前記垂下板部５に取り付けし得るように構成すると共に、この水平ストレート縁部17の左右両端部に前記面取り部15を設けたことを特徴とする請求項１〜３のいずれか１項に記載の金属屋根用のソーラーパネル取付金具に係るものである。
【００１１】
また、前記前側止着部12の下部に、この前側止着部12を前記接合具８若しくは前記止着具で前記垂下板部５に止着した際に前記屋根板材２の上面に当接する若しくは当接可能な脚部27を設けたことを特徴とする請求項１〜４のいずれか１項に記載の金属屋根用のソーラーパネル取付金具に係るものである。
【００１２】
また、前記後側載置部13は、前記パネル固定部11の後部から下方に突設して、この後側載置部13を前記屋根板材２の前記下側敷設板部３に上方から載置した際に、この下側敷設板部３の上方に前記パネル固定部11が浮上状態で配設するように構成したことを特徴とする請求項１〜５のいずれか１項に記載の金属屋根用のソーラーパネル取付金具に係るものである。
【００１３】
また、前後方向に長さを有する金属板18の前側を下方へ垂下する形状に折曲してこの前側垂下部を前記前側止着部12とし、この金属板18の後側を下方へ垂下する形状に折曲してこの後側垂下部を前記後側載置部13とし、この後側載置部13と前側止着部12の間の金属板18の中間板部に取付ボルト19を立設状態に設けて、この取付ボルト19を有する中間板部を前記パネル固定部11としたことを特徴とする請求項１〜６のいずれか１項に記載の金属屋根用のソーラーパネル取付金具に係るものである。
【発明の効果】
【００１４】
本発明は上述のように構成したから、既存の金属屋根に対して後付けする場合であっても、屋根板材を一旦取り外すような作業を要することなく、何ら特別な加工を要せずに接合具若しくは止着具を用いて屋根板材（金属屋根）の垂下板部に簡易に止着固定でき、垂下板部を有する屋根板材で構築された金属屋根であれば、どのような形の屋根に対しても容易に固定でき、前側止着部だけを屋根板材の垂下板部に止着する簡易止着構造でありながら、二箇所以上を接合具若しくは止着具で強固に止着できると共に、後側載置部を屋根板材の下側敷設板部に載置できるために、屋根板材上にガタつきにくい安定状態で止着固定でき、また、屋根板材の垂下板部に接合具若しくは止着具で止着固定する構成であるからこの止着部位から雨漏りを生じにくく、しかも、接合具若しくは止着具を挿通する二箇所以上の挿通孔の少なくとも一箇所を長孔状に形成したため、この挿通長孔を介して前側止着部を傾動調整でき、この傾動調整によりパネル固定部をソーラーパネル若しくはソーラーパネル設置具の固定に適する状態に調整是正することができ、その上、前側止着部の左右下部を面取りしたことにより、この左右の面取り部で上面に凹凸のある屋根板材の凸部を避けながら前側止着部を垂下板部に止着することもでき、従って上面が平坦形状の屋根板材だけでなく、波形瓦のような上面に凹凸のある形状の屋根板材に対しても屋根板材を傷つけることなく止着固定可能であるなど、極めて実用性・汎用性に優れた金属屋根用のソーラーパネル取付金具となる。
【００１５】
また、請求項２記載の発明においては、専用の止着具を用意することなく、垂下板部と立上がり板部との接合に用いる既存の接合具を使用して前側止着部を垂下板部に止着するので低コストで実現でき、新築物件を取付対象とする場合には、垂下板部の立上がり板部への接合作業と、前側止着部の垂下板部への止着作業とを接合具を用いた一連の作業のうちに行うことも容易に可能となり、既存物件を取付対象とする場合には、接合具による前側止着部の垂下板部への止着と同時にその止着部位の垂下板部と立上がり板部とが接合されるために、屋根板材同士の接合強度がより強固なものとなり、しかも、接合具はビスを採用したから、例えばビス打ち機を用いるなどして前側止着部の垂下板部への止着作業を容易に行うことが可能となるなど、一層実用性に優れた構成の金属屋根用のソーラーパネル取付金具となる。
【００１６】
また、請求項３記載の発明においては、屋根板材に対して確実にパネル固定部の傾動調整が可能となる構成を簡易に設計実現可能となる一層実用性に優れた構成の金属屋根用のソーラーパネル取付金具となる。
【００１７】
また、請求項４記載の発明においては、平形瓦のような上面が平坦形状の屋根板材に対しても、波形瓦のような上面に凹凸のある屋根板材に対しても、確実に屋根板材を傷つけることなく止着固定可能となる構成を簡易に設計実現可能となる一層実用性に優れた構成の金属屋根用のソーラーパネル取付金具となる。
【００１８】
また、請求項５記載の発明においては、前側止着部の下部に、この前側止着部を垂下板部に止着した際に屋根板材の上面に当接する若しくは当接可能な脚部を設けたから、本ソーラーパネル取付金具を用いて屋根上に取り付けたソーラーパネルに、強風の吹き上げなどによって上方へ浮かせようとする大きな荷重が加わると、本ソーラーパネル取付金具の前側止着部を前方（屋根勾配の下側）へ倒そうとする強い力が作用するが、この際に前記脚部が屋根板材の上面に当接することでこの荷重に抗する強固な倒れ防止効果を発揮でき、極めて高い取付強度を発揮できる一層実用性に優れた構成の金属屋根用のソーラーパネル取付金具となる。
【００１９】
また、請求項６記載の発明においては、波形瓦のような上面に凹凸のある屋根板材に対して本ソーラーパネル取付金具を使用する場合であっても、パネル固定部が屋根板材の下側敷設板部の上方へ浮上した状態で載置固定されることになるので、パネル固定部が屋根板材の凸部と略同じ高さ位置若しくはこの凸部より低い位置に設置されてパネル固定部へのソーラーパネル若しくはソーラーパネル設置具の固定に支障を生じることがなく、どのような形状の屋根板材に対しても確実にソーラーパネル若しくはソーラーパネル設置具を固定可能な状態で止着固定できる一層実用性に優れた構成の金属屋根用のソーラーパネル取付金具となる。
【００２０】
また、請求項７記載の発明においては、ソーラーパネル若しくはソーラーパネル設置具を取付ボルトで容易に固定可能なパネル固定部を簡易に設計実現可能となると共に、金属板を折曲するだけの簡易構成により前記作用・効果を確実に発揮する本ソーラーパネル取付金具を容易に設計実現可能となる一層実用性に優れた構成の金属屋根用のソーラーパネル取付金具となる。
【図面の簡単な説明】
【００２１】
【図１】本実施例を示す分解斜視図である。
【図２】本実施例を、平形瓦を用いて構築された金属屋根に止着固定した状態を示す斜視図である。
【図３】本実施例の、平形瓦を用いて構築された金属屋根への使用状態を示す概略説明側断面図である。
【図４】図３の部分拡大側断面図である。
【図５】本実施例を、波形瓦を用いて構築された金属屋根に止着固定した状態を示す斜視図である。
【図６】本実施例の、波形瓦を用いて構築された金属屋根への使用状態を示す正面図である。
【図７】図６の側断面図である。
【発明を実施するための形態】
【００２２】
好適と考える本発明の実施形態を、図面に基づいて本発明の作用を示して簡単に説明する。
【００２３】
本発明のソーラーパネル固定金具Ａは、屋根１勾配の下側に配する下側敷設板部３と、屋根１勾配の上側に配する上側敷設板部４とから成り、前記下側敷設板部３に、下方へ垂下する形状に折曲形成された垂下板部５を有すると共に、この垂下板部５が重合可能で且つ上方へ立上がる形状に折曲形成された立上がり板部６を前記上側敷設板部４に有する金属製屋根板材２を、野地板７の勾配下方側に敷設固定し、この敷設固定した屋根板材２の前記上側敷設板部４の上面に、この屋根板材２より野地板７の勾配上方側に敷設固定した他の屋根板材２の前記下側敷設板部３の下面を上方から重ねて前記垂下板部５を前記立上がり板部６に重合し、この重合した垂下板部５と立上がり板部６とを接合具８で接合することで上下の屋根板材２同士を接合していく金属屋根１に対して止着固定して使用可能である。
【００２４】
具体的には、ソーラーパネル取付金具Ａの後側載置部13を屋根板材２の下側敷設板部３に上方から載置した状態で前側止着部12を垂下板部５に重合させ、この前側止着部12の二箇所以上の挿通孔14に、垂下板部５と立上がり板部６とを接合するための接合具８若しくは止着具を挿通してこの接合具８若しくは止着具により前側止着部12を前記垂下板部５に止着すると、屋根板材２を介して金属屋根１上にソーラーパネル取付金具Ａが固定されることになる。
【００２５】
屋根１上に固定したこのソーラーパネル取付金具Ａのパネル固定部11に、ソーラーパネル９若しくはソーラーパネル９を設置するためのソーラーパネル設置具10を固定して、屋根１上にソーラーパネル９を設置することができる。
【００２６】
従って、本ソーラーパネル取付金具Ａは、野地板７に固定する構成でなく、屋根板材２の垂下板部５に対して止着固定する構成であるから、既存の金属屋根１に対して後付けするような場合であっても、屋根板材２を一旦取り外すような面倒な作業は必要なく、何ら特別な加工を要せずに接合具８若しくは止着具を用いて屋根板材２（金属屋根１）に簡易に止着固定可能であり、また、垂下板部５を有する屋根板材２であれば、どのような形状のものに対しても止着固定して使用できるので、汎用性が高い。
【００２７】
また、本ソーラーパネル取付金具Ａは、その前側（前側止着部12）だけを屋根板材２（の垂下板部５）に止着する簡易な止着構造であるが、前側止着部12の二箇所以上を接合具８若しくは止着具で強固に止着固定できる構造であると共に、後側載置部13を屋根板材２の下側敷設板部３に載置するために、屋根板材２上にガタつきにくい安定状態で止着固定されることになる。
【００２８】
また、野地板７に敷設（横設）されている屋根板材２の下側敷設板部３や上側敷設板部４にビス打ちなどによって金具を固定する構成であると、ビス打ち孔から雨水などが侵入し易く雨漏りを生じ易い懸念があるが、本ソーラーパネル取付金具Ａは、屋根板材２の下側敷設板部３から垂下する（縦設する）垂下板部５に接合具８若しくは止着具により前側止着部12を止着する構成であるから、この接合具８若しくは止着具がたとえビス８であったとしても雨水などは垂下板部５を伝って下方へ流れ落ち易いので、この止着部位から雨水などが侵入しにくく雨漏りを生じにくい。
【００２９】
また、二箇所以上の挿通孔14の少なくとも一箇所を長孔状の挿通長孔14Ａに形成したことで、この挿通長孔14Ａを、この挿通長孔14Ａに挿通した前記接合具８若しくは止着具に対し移動させて（前側止着部12を傾動させて）ソーラーパネル９若しくはソーラーパネル設置具10の固定に適する状態にパネル固定部11を傾動調整是正することができる。
【００３０】
また、左右下部を面取りした前側止着部12は、上面に凹凸のある波形瓦２Ｂのような屋根板材２に対してもこの左右の面取り部15で屋根板材２の凸部16を避けながら前側止着部12を前記垂下板部５に止着することができる。従って、前側止着部12が屋根板材２の上面に接してこの上面に錆付きや雨漏りの要因となるような傷を付けることがない。
【００３１】
また、例えば、前記前側止着部12の下部に、この前側止着部12を前記接合具８若しくは止着具で前記垂下板部５に止着した際に前記屋根板材２の上面に当接する若しくは当接可能な脚部27を設ければ、本ソーラーパネル取付金具Ａを用いて屋根１上に取り付けたソーラーパネル９に、強風の吹き上げなどによって上方へ浮かせようとする大きな荷重が加わると、本ソーラーパネル取付金具Ａにはその前側止着部12を前方（屋根１勾配の下側）へ倒そうとする強い力が作用するが、この際に前記脚部27が屋根板材２の上面に当接することでこの荷重に抗する強固な倒れ防止効果を発揮できる。従って、前側止着部12が前方へ倒れるように可動したり変形を生じたりしにくく、極めて高い取付強度を発揮できることになる。
【００３２】
また、例えば、前記後側載置部13は、前記パネル固定部11の後部から下方に突設して、この後側載置部13を前記屋根板材２の前記下側敷設板部３に上方から載置した際に、この下側敷設板部３の上方に前記パネル固定部11が浮上状態で配設するように構成すれば、どのような上面形状を具備する屋根板材２に対しても、パネル固定部11が下側敷設板部３上方へ浮上した状態で載置固定されることになる。従って、パネル固定部11が下側敷設板部３と略同じ高さ位置若しくは下側敷設板部３より低い位置に設置されてしまってパネル固定部11へのソーラーパネル９若しくはソーラーパネル設置具10の固定に支障を生じるような不都合はない。
【００３３】
即ち、例えば、パネル固定部11と後側載置部13とが略同じ高さに設けられていたり、パネル固定部11より後側載置部13が高い位置に設けられている構成であると、波形瓦のような上面に凹凸のある屋根板材２に対して本ソーラーパネル取付金具Ａを使用する場合に、屋根板材２の下側敷設板部３上面の凹部20（低い位置）に後側載置部13を載置した状態で本ソーラーパネル取付金具Ａを止着固定することで、パネル固定部11が屋根板材２の下側敷設板部３上面の凸部16より低い位置にあってパネル固定部11にソーラーパネル９若しくはソーラーパネル設置具10を固定しようとしても、凸部16がソーラーパネル９若しくはソーラーパネル設置具10に干渉して固定できなくなることが懸念されるが、後側載置部13をパネル固定部11の後部から下方に突設して、この後側載置部13を屋根板材２の下側敷設板部３に上方から載置した際に、この下側敷設板部３の上方に前記パネル固定部11が浮上状態で配設するように構成することにより、このような懸念は解消されて、どのような形状の屋根板材２に対しても確実にソーラーパネル９若しくはソーラーパネル設置具10を固定可能な状態で本ソーラーパネル取付金具Ａを止着固定できる。
【実施例】
【００３４】
本発明の具体的な実施例について図面に基づいて説明する。
【００３５】
本実施例は、図２〜図７に示すような、屋根１勾配の下側に配する下側敷設板部３と、屋根１勾配の上側に配する上側敷設板部４とから成り、前記下側敷設板部３に、下方へ垂下する形状に折曲形成された垂下板部５を有すると共に、この垂下板部５が重合可能で且つ上方へ立上がる形状に折曲形成された立上がり板部６を前記上側敷設板部４に有する金属製屋根板材２を用いて、野地板７の勾配下方側に敷設固定したこの屋根板材２の前記上側敷設板部４の上面に、この屋根板材２より野地板７の勾配上方側に敷設固定した他の屋根板材２の前記下側敷設板部３の下面を上方から重ねて前記垂下板部５を前記立上がり板部６に重合し、この重合した垂下板部５と立上がり板部６とに接合具８としてのビス８を貫通させて双方の板部を接合することで上下の屋根板材２同士を接合していく金属屋根１を取付対象としたソーラーパネル取付金具Ａに係るものである。
【００３６】
また、本実施例の屋根板材２は、上面に天然石が吹付けられた、勾配上部側敷設部３と勾配下部側敷設部５とに巻き込み部を有しない金属瓦用を採用している。更に詳しくは、図２〜図４では、野地板１の勾配方向と直交する横方向に長さを有する横長の略方形板状であって、上面が平坦板状の平板瓦２Ａを示し、図５〜図７では、同じく野地板１の勾配方向と直交する横方向に長さを有する横長の略方形板状であって、上面が横方向に湾曲凹凸状に連続する形状の波形瓦２Ｂを示している。尚、これら以外にも、下側敷設板部３と上側敷設板部４とから成り、下側敷設板部３に垂下板部５を有すると共に、上側敷設板部４に立上がり板部６を有する構造の屋根板材２であれば、本実施例のソーラーパネル取付金具Ａは止着固定可能である。
【００３７】
本実施例のソーラーパネル取付金具Ａは、ソーラーパネル９若しくはソーラーパネル９を設置するためのソーラーパネル設置具10を固定可能なパネル固定部11の前部に、前記屋根板材２の前記垂下板部５に重合させて止着する前側止着部12を垂設し、この前側止着部12を前記垂下板部５に重合した際に、前記下側敷設板部３に上方から載置する後側載置部13を、このパネル固定部11の後部に設けた構成としている。
【００３８】
具体的には、図１に示すように、前後方向に長さを有する一枚の帯状の金属板18の前側を略直角下方へ垂下する形状に折曲してこの前側垂下部を前記前側止着部12とし、この金属板18の後側を略直角下方へ垂下する形状に折曲してこの後側垂下部を前記後側載置部13とし、この後側載置部13と前側止着部12の間の水平中間板部に取付ボルト19を立設状態に設けて、この取付ボルト19を有する中間板部を前記パネル固定部11としている。
【００３９】
また、前側止着部12とパネル固定部11を構成する中間板部との境目の折曲部分は、中間板部から一旦前斜め下方へ折曲した後、その傾斜先端を真下方向に折曲する形状に形成して、この二箇所の折曲部分を形成することによりこの部位の強度を向上させている。
【００４０】
また、後側載置部13は、パネル固定部11を構成する中間板部の後部から一旦直角下方へ垂下折曲した後、その垂下先端を水平後方へ折曲突出する形状に形成し（側面視Ｌ字状に折曲形成し）、この水平後方へ突出する部位の下面が前記屋根板材２の下側敷設板部３の上面に載置する構成として、後側載置部13を前記屋根板材２の前記下側敷設板部３に上方から載置した際に、この下側敷設板部３の上方に前記パネル固定部11が浮上状態で配設するように構成している。
【００４１】
即ち、例えば、パネル固定部11と後側載置部13とが略同じ高さに設けられていたり、パネル固定部11より後側載置部13が高い位置に設けられていたりする構成であると、波形瓦２Ｂのような上面に凹凸のある屋根板材２に対して本ソーラーパネル取付金具Ａを使用する場合に、波形瓦２Ｂの下側敷設板部３上面の凹部20に後側載置部13を載置した状態で本ソーラーパネル取付金具Ａを止着固定することで、パネル固定部11が波形瓦２Ｂの下側敷設板部３上面の凸部16より低い位置にあってパネル固定部11にソーラーパネル９若しくはソーラーパネル設置具10を固定しようとしても、凸部16がソーラーパネル９若しくはソーラーパネル設置具10に干渉して固定できなくなることが懸念されるが、後側載置部13をパネル固定部11の後部から下方に突設して、この後側載置部13を波形瓦２Ｂの下側敷設板部３に上方から載置した際に、この下側敷設板部３の上方に前記パネル固定部11が浮上状態で配設するように構成した本実施例によれば、このような不都合はなく、どのような形状の屋根板材２に対しても確実にソーラーパネル９若しくはソーラーパネル設置具10を固定可能な状態で本ソーラーパネル取付金具Ａを止着固定できることになる構成としている。
【００４２】
また、本実施例の前側止着部12は、図２，図４に示すように、前記後側載置部13の下端より下方位置まで垂下する形状に構成すると共に、この前側止着部12の、前記後側載置部13の下端より下方に存する部位に、この前側止着部12の左右方向に間隔を置いて前記接合具８（ビス８）を挿通可能な挿通孔14を二箇所に設けて、この各挿通孔14に挿通したビス８によりこの前側止着部12を前記屋根板材２の垂下板部５に止着し得るように構成している。更に詳しくは、前側止着部12の垂下長を５０ｍｍ程度とし、後側止着部13の垂下長を２０ｍｍ程度に設定している。
【００４３】
また、本実施例では、挿通孔14に挿通したビス８を前記垂下板部５と前記立上がり板部６とに打ち込むこととし、これにより前側止着部12を垂下板部５にビス８で止着しつつ垂下板部５と立上がり板部６もビス８で接合する構成としている。従って、例えば、新築物件を取付対象とする場合には、ビス８による垂下板部５の立上がり板部６への接合作業と、前側止着部12の垂下板部５への止着作業とを一連の作業のうちに容易に行うことが可能となり、既存物件を取付対象とする場合には、ビス８により前側止着部12の垂下板部５への止着と同時にその止着部位の垂下板部５と立上がり板部６とが接合されるから、垂下板部５と立上がり板部６との接合強度（屋根板材２同士の接合強度）がより強固となる構成としている。尚、ビス８でなく、前側止着部12を垂下板部５に固定するための専用止着具を用いても良い。
【００４４】
また、この二箇所の挿通孔14のいずれか一方を（図１において左側の挿通孔14を）上下方向に１０〜２０ｍｍ程度の孔長を有する長孔状の挿通長孔14Ａに形成して、この挿通長孔14Ａを、この挿通長孔14Ａに挿通した前記接合具８に対し、他方の挿通孔14に挿通した接合具８を回動支点として回動移動させることで、前側止着部12を傾動調整して前記パネル固定部11をソーラーパネル９若しくはソーラーパネル設置具10を固定し易い状態に傾動調整是正し得るように構成している（図６参照）。
【００４５】
また、本実施例の前側止着部12は、その下縁を水平方向に長さを有する水平ストレート縁部17に形成すると共に、この水平ストレート縁部17の左右両端部を左右対称の傾斜縁形状に面取りした面取り部15としている。従って、図２〜図４に示したような平形瓦２Ａに対しては、水平ストレート縁部17で平形瓦２Ａの平坦上面を避けながら前側止着部12を前記垂下板部５に取り付けし得るように構成すると共に、図５〜図７に示した波形瓦２Ｂに対しては、その凸部16を下部左右部の面取り部15で避けながら前側止着部12を前記垂下板部５に取り付けし得るように構成して、屋根板材２の上面を傷付けることなく止着固定できるようにしている。
【００４６】
また、この前側止着部12の下部の中間位置（前記水平ストレート縁部17の中間部）に、この前側止着部12を前記接合具８で前記垂下板部５に止着した際に前記屋根板材２の上面に当接する若しくは当接可能な脚部27を一体に設けている。
【００４７】
更に詳しく説明すると、前記水平ストレート縁部17の中間部から細帯状の突片が一体に垂下する形状に前側止着部12（前記金属板18の前端部）の形状を設定構成すると共に、この垂下突片の途中部を前方へ略直角に折曲したＬ状折曲片27を前記脚部27とし、この脚部27の折曲先端部の下面が、前記屋根板材２の上面に当接可能となるように構成している。また、この脚部27は、横幅２０ｍｍ程度、前後幅１０ｍｍ程度、垂下長７ｍｍ程度に設定構成している。
【００４８】
従って、本ソーラーパネル取付金具Ａを用いて屋根１上に取り付けたソーラーパネル９に、強風の吹き上げなどによって上方へ浮かせようとする大きな荷重が加わると、本ソーラーパネル取付金具Ａにはその前側止着部12を前方（屋根１勾配の下側）へ倒そうとする強い力が作用するが、この際に前記脚部27（の折曲先端部の下面）が屋根板材２の上面に当接することでこの荷重に抗する強固な倒れ防止効果を発揮でき、これにより前側止着部12が前方へ倒れるような変形を生じにくく、極めて高い取付強度を発揮できることになる構成としている。
【００４９】
尚、脚部27は、本実施例に限らず、前側止着部12の下部数箇所に設けるようにしても良いが（このように構成した方が取付強度的には好ましいが）、本実施例のように中央部の一箇所にだけ脚部27を設ける構成によれば、平板瓦２Ａだけでなく波形瓦２Ｂにも問題なく使用できるというメリットがある。また、脚部27は、前記屋根板材２の上面に当接させた状態で前記前側止着部12を前記垂下板部５に止着しても良いし、前記屋根板材２の上面に当接させずに屋根板材２から上方へ若干浮上させた状態で前側止着部12を垂下板部５に止着しても良い（前側止着部12が前方へ倒れると脚部27が屋根板材２の上面に当接するようにしても良い。）。
【００５０】
また、本実施例のパネル固定部11は、前記金属板18の中間板部に、ソーラーパネル９若しくはソーラーパネル設置具10を取り付けするための取付ボルト19を立設状態に設けた構成としている。
【００５１】
更に詳しくは、図１に示すように、金属板18の中間板部に、この金属板18の左右横方向に４０〜５０ｍｍ程度の孔長を有するボルト取付孔21を貫通形成し、このボルト取付孔21に、ソーラーパネル９若しくはソーラーパネル設置具10を取り付けするための取付ボルト19を下方から挿通し、このボルト取付孔21から中間板部の上方へ立設突出する取付ボルト19のボルト杆部に取付ナット22を螺着し締付することで、中間板部に対し取付ボルト19を脱落防止状態に固定している。図中符号23は座金である。
【００５２】
また、この取付ボルト19は、そのボルト杆の基端部の断面形状を角形に形成する一方、前記ボルト取付孔21の孔幅（ボルト取付孔21の前後幅）をこの取付ボルト19の角形基端部が丁度嵌合可能な孔幅に設定構成して、この取付ボルト19の角形基端部をボルト取付孔21に挿通すると、角形基端部がボルト取付孔21に対して回り止め嵌合する構成とし、この回り止め状態の取付ボルト19に対して取付ナット22と後述する支持ナット24及び固定ナット25の回動操作を容易に行えるようにしている。
【００５３】
また、このパネル固定部11へのソーラーパネル９若しくはソーラーパネル設置具10の固定構造は、前記取付ボルト19の、前記取付ナット22より上方位置にソーラーパネル９若しくはソーラーパネル設置具10を支持する支持ナット24を螺着し、この支持ナット24で支持したソーラーパネル９若しくはソーラーパネル設置具10を、取付ボルト19の更に上方に螺着した固定ナット25で上方から押え付け固定する（支持ナット24と固定ナット25とでソーラーパネル９若しくはソーラーパネル設置具10を締付挟持固定する）構造としている。
【００５４】
また、この際、支持ナット24を螺動昇降させることでソーラーパネル９若しくはソーラーパネル設置具10の固定位置（高さ）を調整可能であると共に、取付ボルト19は長孔状のボルト取付孔21に沿って移動調整可能な構成としており、これにより様々なメーカーのソーラーパネル９若しくはソーラーパネル設置具10の取付に対応できると共に、施工誤差を吸収したり、ソーラーパネル９若しくはソーラーパネル設置具10の位置調整を行ったりすることが可能で、ソーラーパネル９若しくはソーラーパネル設置具10の設置施工作業を円滑に実施できることになる構成としている。
【００５５】
尚、図３，図４，図６，図７では、このパネル固定部11に、ソーラーパネル設置具10としての架台10を固定し、この架台10を介して屋根１上にソーラーパネル９を取付固定した場合を示しているが、ソーラーパネル９を直接固定できるパネル固定部11の固定構造を採用しても良い。
【００５６】
また、本実施例の後側載置部13は、後端部の両側に止着具としてのビスを挿通可能な補助取付孔26を設けて、万一、前記前側止着部12の二箇所のビス８止めだけでは止着強度が不十分な場合には、この補助取付孔26を介して後側載置部13も下側敷設板部３にビス止めして固定強度を向上することができる構成としている。
【００５７】
次に、本実施例のソーラーパネル取付金具Ａを用いたソーラーパネル９の施工手順を説明する。
【００５８】
取付対象が平形瓦２Ａの場合は、本ソーラーパネル取付金具Ａの後側載置部13を、平形瓦２Ａの垂下板部５より屋根１勾配の上方側に存する下側敷設板部３に上方から載置した状態で、前側止着部12を垂下板部５に重合させ、この前側止着部12の二箇所の挿通孔14にビス８を挿通してこのビス８で前側止着部12を垂下板部５に止着すると、屋根板材２を介して金属屋根１に本ソーラーパネル取付金具Ａが固定される。
【００５９】
このようにして屋根１上に固定された本ソーラーパネル取付金具Ａのパネル固定部11にソーラーパネル設置具10を固定し、このソーラーパネル設置具10にソーラーパネル９を固定する（屋根１上にソーラーパネル９を設置する。）が、この際、パネル固定部11の設置角度が悪い場合には、挿通長孔14Ａに挿通したビス８に対し挿通長孔14Ａを移動させて（前側止着部12を傾動させて）ソーラーパネル９若しくはソーラーパネル設置具10を固定し易い状態にパネル固定部11を傾動調整是正する。
【００６０】
取付対象が波形瓦２Ｂの場合は、本ソーラーパネル取付金具Ａの後側載置部13を、波形瓦２Ｂの垂下板部５より屋根１勾配の上方側に存する下側敷設板部３であってその凹部20の中央の最も低い位置に上方から載置した状態で、前側止着部12を垂下板部５に重合させると、凹部20の左右に存する凸部16を、前側止着部12の下部左右部の面取り部15が避けるようにして前側止着部12が配設することとなり、この前側止着部12の二箇所の挿通孔14にビス８を挿通してこのビス８で前側止着部12を垂下板部５に止着すると、屋根板材２を介して金属屋根１に本ソーラーパネル取付金具Ａが固定される。
【００６１】
そして、平形瓦２Ａの場合と同様に、屋根１上に固定された本ソーラーパネル取付金具Ａのパネル固定部11にソーラーパネル設置具10を固定し、このソーラーパネル設置具10にソーラーパネル９を固定する（屋根１上にソーラーパネル９を設置する。）。
【００６２】
図中符号28は防水材である。
【００６３】
尚、本発明は、本実施例に限られるものではなく、各構成要件の具体的構成は適宜設計し得るものである。
【符号の説明】
【００６４】
１  屋根
２  屋根板材
３  下側敷設板部
４  上側敷設板部
５  垂下板部
６  立上がり板部
７  野地板
８  接合具
９  ソーラーパネル
10  ソーラーパネル設置具
11  パネル固定部
12  前側止着部
13  後側載置部
14  挿通孔
14Ａ  挿通長孔
15  面取り部
16  凸部
17  水平ストレート縁部
18  金属板
19  取付ボルト
27  脚部
Ａ  ソーラーパネル取付金具
【図１】
2015040425.tif 000003
【図２】
2015040425.tif 000004
【図３】
2015040425.tif 000005
【図４】
2015040425.tif 000006
【図５】
2015040425.tif 000007
【図６】
2015040425.tif 000008
【図７】
2015040425.tif 000009